(57)【要約】【課題】制御装置が複数のレコーダユニットを有する記録再生装置内のレコーダユニットを特定し、レコーダユニット毎に操作を行うことができる記録再生装置制御システム、制御装置、および記録再生装置を提供する。【解決手段】記録再生装置制御システムは、テレビ１００と、複数のレコーダユニットを有するビデオレコーダ２００とを備える。テレビ１００は、アドレスとレコーダＩＤと録画状態とを保持する状態管理テーブル１０３と、録画情報応答からレコーダＩＤを抽出して状態管理テーブル１０３に記録するとともに、状態管理テーブル１０３から読み出したレコーダＩＤの録画状態から録画停止情報を作成する記録再生装置制御部１０４とを備え、ビデオレコーダ２００は、録画情報を元に録画を行うレコーダユニットを選択し、選択したレコーダユニットのレコーダＩＤを入力した録画情報応答を作成する複数レコーダユニット制御部２０２を備える。【選択図】図１
2007181047.tif 000002
【特許請求の範囲】
【請求項１】
録画を行う複数のレコーダユニットを有する１つ以上の記録再生装置と、前記記録再生装置を制御する制御装置を備える記録再生装置制御システムであって、
前記制御装置は、
前記レコーダユニットを識別する装置内ＩＤを保持するための状態管理テーブルと、
前記記録再生装置に対して録画を要請する録画情報を作成し、前記録画情報の応答として受信される録画情報応答に含まれる前記装置内ＩＤを前記状態管理テーブルに保持するとともに、前記状態管理テーブルに保持されている前記装置内ＩＤに基づいて前記記録再生装置に対して録画停止を要請する録画停止情報を作成する記録再生装置制御手段と、
前記録画情報および前記録画停止情報を前記記録再生装置へ送信するとともに、前記録画情報応答を前記記録再生装置から受信する送受信手段とを備え、
前記記録再生装置は、
前記制御装置から前記録画情報が受信されると、録画を行うレコーダユニットを選択して前記録画情報に記載されている内容の録画を指示し、前記レコーダユニットを識別する装置内ＩＤを含んだ前記録画情報応答を作成するとともに、前記制御装置から前記録画停止情報が受信されると、前記録画停止情報に含まれる装置内ＩＤで特定されるレコーダユニットの録画停止を指示する複数レコーダユニット制御手段と、
前記録画情報に基づいて動画データを取得する動画取得手段と、
前記複数レコーダユニット制御手段からの録画指示に基づいて前記動画データを録画するとともに、前記複数レコーダユニット制御手段からの録画停止指示に基づいて前記動画データの録画を停止するレコーダユニット制御手段と、
前記制御装置から前記録画情報および前記録画停止情報を受信するとともに、前記録画情報応答を前記制御装置へ送信する送受信手段とを備える
ことを特徴とする記録再生装置制御システム。
【請求項２】
録画を行う複数のレコーダユニットを有する１つ以上の記録再生装置を制御する制御装置であって、
前記レコーダユニットを識別する装置内ＩＤを保持するための状態管理テーブルと、
前記記録再生装置に対して録画を要請する録画情報を作成し、前記録画情報の応答として受信される録画情報応答に含まれる前記装置内ＩＤを前記状態管理テーブルに保持するとともに、前記状態管理テーブルに保持されている前記装置内ＩＤに基づいて前記記録再生装置に対して録画停止を要請する録画停止情報を作成する記録再生装置制御手段と、
前記録画情報および前記録画停止情報を前記記録再生装置へ送信するとともに、前記録画情報応答を前記記録再生装置から受信する送受信手段と
を備えることを特徴とする制御装置。
【請求項３】
前記送受信手段は、前記録画停止情報の応答として前記録画停止情報応答を前記記録再生装置から受信し、
前記記録再生装置制御手段は、前記録画停止情報応答に含まれる前記装置内ＩＤに基づいて前記状態管理テーブルを更新する
ことを特徴とする請求項２記載の制御装置。
【請求項４】
前記記録再生装置制御手段は、前記録画情報応答に含まれる前記装置内ＩＤとともに、前記装置内ＩＤで特定される前記レコーダユニットが録画を行っているか否かを示す録画状態を前記状態管理テーブルに保持し、前記装置内ＩＤおよび前記録画状態に基づいて前記録画情報および前記録画停止情報の少なくとも１つを作成する
ことを特徴とする請求項２記載の制御装置。
【請求項５】
前記送受信手段は、前記録画停止情報の応答として前記録画停止情報応答を前記記録再生装置から受信し、
前記記録再生装置制御手段は、前記状態管理テーブルの、前記録画停止情報応答に含まれる前記装置内ＩＤに対応する前記録画状態を更新する
ことを特徴とする請求項４記載の制御装置。
【請求項６】
前記制御装置は、さらに、
１つ以上の前記記録再生装置を特定するためのアドレスを保持するアドレス管理テーブルを備え、
前記記録再生装置制御手段は、前記記録再生装置の前記アドレスに対応付けて前記装置内ＩＤを前記状態管理テーブルに保持する
ことを特徴とする請求項２記載の制御装置。
【請求項７】
録画を行う複数のレコーダユニットを有する記録再生装置であって、
制御装置からの録画要請である録画情報が受信されると、録画を行うレコーダユニットを選択して前記録画情報に記載されている内容の録画を指示し、前記レコーダユニットを識別する装置内ＩＤを含んだ録画情報応答を作成するとともに、前記制御装置からの録画停止要請である録画停止情報が受信されると、前記録画停止情報に含まれる装置内ＩＤで特定されるレコーダユニットの録画停止を指示する複数レコーダユニット制御手段と、
前記録画情報に基づいて動画データを取得する動画取得手段と、
前記複数レコーダユニット制御手段からの録画指示に基づいて前記動画データを録画するとともに、前記複数レコーダユニット制御手段からの録画停止指示に基づいて前記動画データの録画を停止するレコーダユニット制御手段と、
前記制御装置から前記録画情報および前記録画停止情報を受信するとともに、前記録画情報応答を前記制御装置へ送信する送受信手段と
を備えることを特徴とする記録再生装置。
【請求項８】
前記複数レコーダユニット制御手段は、前記レコーダユニットごとにあらかじめ設定されたレコーダＩＤを保持し、前記レコーダＩＤを前記装置内ＩＤとして用いて前記録画情報応答を作成する
ことを特徴とする請求項７記載の記録再生装置。
【請求項９】
前記記録再生装置は、さらに、
前記装置内ＩＤとしてセッションＩＤを生成する装置内ＩＤ生成手段と、
前記装置内ＩＤ生成手段によって生成された前記セッションＩＤと、前記複数レコーダユニット制御手段によって選択されたレコーダユニットの対応関係を示す装置内ＩＤ管理テーブルとを備え、
前記複数レコーダユニット制御手段は、選択したレコーダユニットに対応付けて前記装置内ＩＤ生成手段によって生成された前記セッションＩＤを前記装置内ＩＤ管理テーブルに保持するとともに、前記セッションＩＤを前記装置内ＩＤとして用いて前記録画情報応答を作成する
ことを特徴とする請求項７記載の記録再生装置。
【請求項１０】
前記装置内ＩＤ生成手段は、前記セッションＩＤを乱数または疑似乱数を用いて生成する
ことを特徴とする請求項９記載の記録再生装置。
【請求項１１】
前記複数レコーダユニット制御手段は、前記録画停止情報に対する応答である録画停止情報応答を作成し、
前記送受信手段は、前記録画停止情報応答を前記制御装置へ送信する
ことを特徴とする請求項７記載の記録再生装置。
【請求項１２】
前記記録再生装置は、さらに、
１つ以上の前記制御装置を特定するためのアドレスを保持するアドレス管理テーブルを備える
ことを特徴とする請求項７記載の記録再生装置。
【請求項１３】
録画を行う複数のレコーダユニットを有する１つ以上の記録再生装置を制御する制御方法であって、
前記記録再生装置に対して録画を要請する録画情報を作成するステップと、
前記録画情報を前記記録再生装置へ送信するステップと、
前記録画情報の応答として録画情報応答を前記記録再生装置から受信するステップと、
受信された前記録画情報応答に含まれる前記レコーダユニットを識別する装置内ＩＤを、前記装置内ＩＤを保持するための状態管理テーブルに保持するステップと、
前記状態管理テーブルに保持されている前記装置内ＩＤに基づいて前記記録再生装置に対して録画停止を要請する録画停止情報を作成するステップと、
前記録画停止情報を前記記録再生装置へ送信するステップと
を含むことを特徴とする制御方法。
【請求項１４】
複数のレコーダユニットを有する記録再生装置に対して録画を行う記録再生方法であって、
録画要請である録画情報を受信するステップと、
前記録画情報が受信されると、録画を行うレコーダユニットを選択して前記録画情報に記載されている内容の録画を指示するステップと、
前記録画情報に基づいて動画データを取得するステップと、
前記録画指示に基づいて前記動画データを録画するステップと、
前記レコーダユニットを識別する装置内ＩＤを含んだ録画情報応答を作成するステップと、
前記録画情報応答を送信するステップと、
録画停止要請である録画停止情報を受信するステップと、
前記録画停止情報が受信されると、前記録画停止情報に含まれる装置内ＩＤで特定されるレコーダユニットの録画停止を指示するステップと、
前記録画停止指示に基づいて前記動画データの録画を停止するステップと
を含むことを特徴とする記録再生方法。
【請求項１５】
録画を行う複数のレコーダユニットを有する１つ以上の記録再生装置を制御するためのプログラムであって、
前記記録再生装置に対して録画を要請する録画情報を作成するステップと、
前記録画情報を前記記録再生装置へ送信するステップと、
前記録画情報の応答として録画情報応答を前記記録再生装置から受信するステップと、
受信された前記録画情報応答に含まれる前記レコーダユニットを識別する装置内ＩＤを、前記装置内ＩＤを保持するための状態管理テーブルに保持するステップと、
前記状態管理テーブルに保持されている前記装置内ＩＤに基づいて前記記録再生装置に対して録画停止を要請する録画停止情報を作成するステップと、
前記録画停止情報を前記記録再生装置へ送信するステップとをコンピュータに実行させる
ことを特徴とするプログラム。
【請求項１６】
複数のレコーダユニットを有する記録再生装置に対して録画を行うためのプログラムであって、
録画要請である録画情報を受信するステップと、
前記録画情報が受信されると、録画を行うレコーダユニットを選択して前記録画情報に記載されている内容の録画を指示するステップと、
前記録画情報に基づいて動画データを取得するステップと、
前記録画指示に基づいて前記動画データを録画するステップと、
前記レコーダユニットを識別する装置内ＩＤを含んだ録画情報応答を作成するステップと、
前記録画情報応答を送信するステップと、
録画停止要請である録画停止情報を受信するステップと、
前記録画停止情報が受信されると、前記録画停止情報に含まれる装置内ＩＤで特定されるレコーダユニットの録画停止を指示するステップと、
前記録画停止指示に基づいて前記動画データの録画を停止するステップとをコンピュータに実行させる
ことを特徴とするプログラム。
【請求項１７】
録画を行う複数のレコーダユニットを有する１つ以上の記録再生装置を制御するための集積回路であって、
前記レコーダユニットを識別する装置内ＩＤを保持するための状態管理テーブルと、
前記記録再生装置に対して録画を要請する録画情報を作成し、前記録画情報の応答として受信される録画情報応答に含まれる前記装置内ＩＤを前記状態管理テーブルに保持するとともに、前記状態管理テーブルに保持されている前記装置内ＩＤに基づいて前記記録再生装置に対して録画停止を要請する録画停止情報を作成する記録再生装置制御手段と、
前記録画情報および前記録画停止情報を前記記録再生装置へ送信するとともに、前記録画情報応答を前記記録再生装置から受信する送受信手段と
を備えることを特徴とする集積回路。
【請求項１８】
複数のレコーダユニットを有する記録再生装置に対して録画を行うための集積回路であって、
制御装置からの録画要請である録画情報が受信されると、録画を行うレコーダユニットを選択して前記録画情報に記載されている内容の録画を指示し、前記レコーダユニットを識別する装置内ＩＤを含んだ録画情報応答を作成するとともに、前記制御装置からの録画停止要請である録画停止情報が受信されると、前記録画停止情報に含まれる装置内ＩＤで特定されるレコーダユニットの録画停止を指示する複数レコーダユニット制御手段と、
前記録画情報に基づいて動画データを取得する動画取得手段と、
前記複数レコーダユニット制御手段からの録画指示に基づいて前記動画データを録画するとともに、前記複数レコーダユニット制御手段からの録画停止指示に基づいて前記動画データの録画を停止するレコーダユニット制御手段と、
前記制御装置から前記録画情報および前記録画停止情報を受信するとともに、前記録画情報応答を前記制御装置へ送信する送受信手段と
を備えることを特徴とする集積回路。
【発明の詳細な説明】
【技術分野】
【０００１】
本発明は、動画を記録再生する記録再生装置を制御する記録再生装置制御システムに関し、特に複数のレコーダユニットを有する１つ以上の記録再生装置を制御する記録再生装置制御システムに関するものである。
【背景技術】
【０００２】
従来、テレビジョン放送の番組やビデオカメラからの音声を伴う映像（以下、動画データと略称する）等を録画するための記録再生装置として、１台の記録再生装置内に実際に動画データの録画を行うレコーダユニットが複数存在し、それぞれのレコーダユニットで並行に別々の動画データの録画を行える記録再生装置（以下、複数動画記録装置という）が知られている（例えば、非特許文献１参照）。このような複数動画記録装置を使用することで、録画したいテレビジョン放送の番組が同時刻に複数存在したとしても、内部のレコーダユニットが同時に複数の番組を録画することで複数動画記録装置内に動画データを残すことができる。
【０００３】
また、上記のような複数動画記録装置とは別に複数の動画データを並行に録画するため、ＴＶ装置に複数の記録再生装置が所定の通信手段で接続され、ＴＶ装置からそれぞれの記録再生装置の制御を行うことができるシステムが知られている（例えば、特許文献１参照）。このようなシステムの場合も、接続されているそれぞれの記録再生装置へＴＶ装置のインターフェースを用いて記録開始、記録停止、記録予約、電源オン／オフ等の操作を行うことができるので、ユーザにとっては１台１台の記録再生装置まで移動し、それぞれに対して操作を行う必要がなくなる。また、ＴＶ装置に接続している記録再生装置の種類が異なる場合でもＴＶ装置のインターフェースを使用することで、ユーザはそれぞれの記録再生装置の操作方法を憶える必要がなくなり簡単に操作を行うことができる。
【０００４】
上記システム内の複数の装置は、互いを区別するために装置自身に付けられたインターネット・プロトコルのＩＰアドレスや、ネットワーク上でのメッセージを送受信する際に用いられるメールアドレスや、ＩＥＥＥ１３９４上の機器識別番号であるノードユニークＩＤ等（以下、アドレスと略称する）を使用している（例えば、特許文献２、３、４参照）。そして、ユーザがテレビジョン放送の番組の録画や録画予約を行いたい場合、ＴＶ装置やＰＣ等の制御機器からユーザの指定した録画情報を特定のアドレスを所有する記録再生装置に所定の通信手段で送信する。そして、録画情報を受信した記録再生装置は、その情報を元に録画を開始し始める、または録画予約を行っている。
【非特許文献１】松下電器産業株式会社  ＤＶＤビデオレコーダ取扱説明書（第３２頁）、［平成１７年１２月１９日検索］、インターネット＜ＵＲＬ：ｈｔｔｐ：／／ｃｎｃ．ａｓｐ．ｈｉ−ｈｏ．ｎｅ．ｊｐ／ｃｎｃ／ｍａｎｕａｌ／２００５／ｄｖｄ／ｄｍｒ＿ｅｈ６６＿１＿１．ｐｄｆ＞
【特許文献１】特開平７―１２３３２６号公報
【特許文献２】特開２００４―２３３２６号公報
【特許文献３】特開２００４―３２８６５９号公報
【特許文献４】特開２００２―３５２４８７号公報
【発明の開示】
【発明が解決しようとする課題】
【０００５】
しかしながら、このようなシステムは、例えば上述した複数動画記録装置と接続し、システム内のＴＶ装置から複数動画記録装置内の複数のレコーダユニットを制御する場合については考慮されていない。そのため、ＴＶ装置は複数動画記録装置を制御する際にレコーダユニットを特定する必要がある場合、どのレコーダユニットに制御が反映されるか判断できないので誤操作を行う可能性がある。
【０００６】
例えば、システムがＴＶ装置と２つのレコーダユニットを搭載した複数動画記録装置と更に複数台の記録再生装置で構成されているとする。ＴＶ装置が複数台の記録再生装置の中から複数動画記録装置をアドレスで特定し録画開始情報を送信すると、録画開始情報を受信した複数動画記録装置は１つのレコーダユニットに指定された動画データを録画する。更に、複数動画記録装置が同時にもう一方のレコーダユニットにも別の動画データの録画を行っている場合に、ＴＶ装置がアドレスを用いて複数動画記録装置に録画停止の指示をしたとしても、複数動画記録装置はどのレコーダユニットの録画を停止するか判断することができない、またはＴＶ装置が期待していないレコーダユニットの録画を止めてしまうという課題がある。
【０００７】
そこで、本発明は上記の事情に鑑みてなされたものであり、ＴＶ装置（制御装置）が複数のレコーダユニットを有する記録再生装置内のレコーダユニットを特定し、レコーダユニット毎に操作を行うことができる記録再生装置制御システム、制御装置、および記録再生装置を提供することを目的とする。
【課題を解決するための手段】
【０００８】
上記目的を達成するため、本発明に係る記録再生装置制御システムは、録画を行う複数のレコーダユニットを有する１つ以上の記録再生装置と、前記記録再生装置を制御する制御装置を備える記録再生装置制御システムであって、前記制御装置は、前記レコーダユニットを識別する装置内ＩＤを保持するための状態管理テーブルと、前記記録再生装置に対して録画を要請する録画情報を作成し、前記録画情報の応答として受信される録画情報応答に含まれる前記装置内ＩＤを前記状態管理テーブルに保持するとともに、前記状態管理テーブルに保持されている前記装置内ＩＤに基づいて前記記録再生装置に対して録画停止を要請する録画停止情報を作成する記録再生装置制御手段と、前記録画情報および前記録画停止情報を前記記録再生装置へ送信するとともに、前記録画情報応答を前記記録再生装置から受信する送受信手段とを備え、前記記録再生装置は、前記制御装置から前記録画情報が受信されると、録画を行うレコーダユニットを選択して前記録画情報に記載されている内容の録画を指示し、前記レコーダユニットを識別する装置内ＩＤを含んだ前記録画情報応答を作成するとともに、前記制御装置から前記録画停止情報が受信されると、前記録画停止情報に含まれる装置内ＩＤで特定されるレコーダユニットの録画停止を指示する複数レコーダユニット制御手段と、前記録画情報に基づいて動画データを取得する動画取得手段と、前記複数レコーダユニット制御手段からの録画指示に基づいて前記動画データを録画するとともに、前記複数レコーダユニット制御手段からの録画停止指示に基づいて前記動画データの録画を停止するレコーダユニット制御手段と、前記制御装置から前記録画情報および前記録画停止情報を受信するとともに、前記録画情報応答を前記制御装置へ送信する送受信手段とを備えることを特徴とする。これによって、制御装置が複数のレコーダユニットを有する記録再生装置内のレコーダユニットから制御を行うべきレコーダユニットを特定できるので、例えば録画を停止する等の制御をレコーダユニット毎に行うことができる。
【０００９】
また、本発明に係る制御装置は、録画を行う複数のレコーダユニットを有する１つ以上の記録再生装置を制御する制御装置であって、前記レコーダユニットを識別する装置内ＩＤを保持するための状態管理テーブルと、前記記録再生装置に対して録画を要請する録画情報を作成し、前記録画情報の応答として受信される録画情報応答に含まれる前記装置内ＩＤを前記状態管理テーブルに保持するとともに、前記状態管理テーブルに保持されている前記装置内ＩＤに基づいて前記記録再生装置に対して録画停止を要請する録画停止情報を作成する記録再生装置制御手段と、前記録画情報および前記録画停止情報を前記記録再生装置へ送信するとともに、前記録画情報応答を前記記録再生装置から受信する送受信手段とを備えることを特徴とする。これによって、複数のレコーダユニットを有する記録再生装置内のレコーダユニットから制御を行うべきレコーダユニットを特定できるので、例えば録画を停止する等の制御をレコーダユニット毎に行うことができる。
【００１０】
また、前記記録再生装置制御手段は、前記録画情報応答に含まれる前記装置内ＩＤとともに、前記装置内ＩＤで特定される前記レコーダユニットが録画を行っているか否かを示す録画状態を前記状態管理テーブルに保持し、前記装置内ＩＤおよび前記録画状態に基づいて前記録画情報および前記録画停止情報の少なくとも１つを作成してもよい。これによって、レコーダユニットの録画状態に応じて制御を行うことができる。
【００１１】
また、本発明に係る記録再生装置は、録画を行う複数のレコーダユニットを有する記録再生装置であって、制御装置からの録画要請である録画情報が受信されると、録画を行うレコーダユニットを選択して前記録画情報に記載されている内容の録画を指示し、前記レコーダユニットを識別する装置内ＩＤを含んだ録画情報応答を作成するとともに、前記制御装置からの録画停止要請である録画停止情報が受信されると、前記録画停止情報に含まれる装置内ＩＤで特定されるレコーダユニットの録画停止を指示する複数レコーダユニット制御手段と、前記録画情報に基づいて動画データを取得する動画取得手段と、前記複数レコーダユニット制御手段からの録画指示に基づいて前記動画データを録画するとともに、前記複数レコーダユニット制御手段からの録画停止指示に基づいて前記動画データの録画を停止するレコーダユニット制御手段と、前記制御装置から前記録画情報および前記録画停止情報を受信するとともに、前記録画情報応答を前記制御装置へ送信する送受信手段とを備えることを特徴とする。これによって、複数のレコーダユニット毎に例えば録画を停止する等の制御を受け付けることができる。
【００１２】
また、前記記録再生装置は、さらに、前記装置内ＩＤとしてセッションＩＤを生成する装置内ＩＤ生成手段と、前記装置内ＩＤ生成手段によって生成された前記セッションＩＤと、前記複数レコーダユニット制御手段によって選択されたレコーダユニットの対応関係を示す装置内ＩＤ管理テーブルとを備え、前記複数レコーダユニット制御手段は、選択したレコーダユニットに対応付けて前記装置内ＩＤ生成手段によって生成された前記セッションＩＤを前記装置内ＩＤ管理テーブルに保持するとともに、前記セッションＩＤを前記装置内ＩＤとして用いて前記録画情報応答を作成してもよい。これによって、例えば録画を行っているレコーダユニットに対して、録画情報を送信した制御装置とは別の制御装置から誤った録画停止情報を受信しても、セッションＩＤが異なるためにレコーダユニットの録画を停止させるという誤動作を防ぐことができる。
【００１３】
なお、本発明は、このような制御装置および記録再生装置として実現することができるだけでなく、このような装置が備える特徴的な手段をステップとする制御方法および記録再生方法として実現したり、それらのステップを集積回路に実行させ実現したりコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１４】
本発明に係る記録再生装置制御システムによれば、制御装置がアドレスで特定した記録再生装置から受け取る装置内ＩＤを用いて記録再生装置の制御を行うことで、記録再生装置内のレコーダユニットの数に関係なく、制御装置は記録再生装置内のレコーダユニット毎の状態を知ることやレコーダユニット毎に制御を行うことができる。
【発明を実施するための最良の形態】
【００１５】
以下、本発明の各実施の形態について、それぞれ図面を参照しながら説明する。
【００１６】
（実施の形態１）
図１は、本発明の実施の形態１に係る記録再生装置制御システムの構成を示すブロック図である。
【００１７】
図１において記録再生装置制御システムは、システム内の１つ以上の装置と双方向通信が可能な制御装置であるテレビ１００と、システム内の１つ以上の装置と双方向通信が可能でレコーダユニットを複数有する記録再生装置であるビデオレコーダ２００と、システム内の１つ以上の装置と双方向通信が可能なその他の記録再生装置３００とを備えている。なお、記録再生装置３００は、例えば少なくとも１つレコーダユニットを有するビデオレコーダ等の装置であればよい。
【００１８】
テレビ１００は、図１に示すように操作入力部１０１、アドレス管理テーブル１０２、状態管理テーブル１０３、記録再生装置制御部１０４、および送受信部１０５を備えている。
【００１９】
操作入力部１０１は、ユーザの操作入力を受け付けて操作情報を作成する。アドレス管理テーブル１０２は、例えば図２に示すようにシステム内に接続されている装置を特定し通信を行うために必要なアドレスを保持している。このアドレス管理テーブル１０２は、例えばテレビ１００の電源が入れられた際に接続されているシステム内の装置のアドレスが取得されて作成される。状態管理テーブル１０３は、例えば図３に示すように装置のアドレスとレコーダユニット毎のＩＤ（以下、レコーダＩＤという）とレコーダＩＤから特定されるレコーダユニットの録画状態を保持している。この状態管理テーブル１０３は、以下に述べるように記録再生装置制御部１０４よってレコーダＩＤが抽出された際に動的に作成される。なお、アドレス管理テーブル１０２および状態管理テーブル１０３は、あらかじめ設定されたアドレスまたはレコーダＩＤを保持していても構わない。
【００２０】
記録再生装置制御部１０４は、録画操作情報とアドレス管理テーブル１０２から読み出したビデオレコーダ２００のアドレスと状態管理テーブル１０３から読み出したレコーダＩＤの録画状態から、ビデオレコーダ２００に対して録画を要請する録画情報を作成する。また、記録再生装置制御部１０４は、録画情報の応答として受信される録画情報応答から録画を行っているビデオレコーダ内のレコーダユニットのレコーダＩＤを抽出し、状態管理テーブル１０３にビデオレコーダのアドレスおよびレコーダＩＤと録画状態であることとを記録する。
【００２１】
さらに、記録再生装置制御部１０４は、録画操作情報とアドレス管理テーブル１０２から読み出したビデオレコーダ２００のアドレスと状態管理テーブル１０３から読み出したレコーダＩＤの録画状態から、ビデオレコーダ２００に対して録画停止を要請する録画停止情報を作成する。また、記録再生装置制御部１０４は、録画停止情報の応答として受信される録画停止情報応答から録画停止を行ったビデオレコーダ内のレコーダユニットのレコーダＩＤを抽出し、状態管理テーブル１０３にビデオレコーダのアドレスおよびレコーダＩＤと録画停止状態であることとを記録する。
【００２２】
送受信部１０５は、録画情報または録画停止情報をビデオレコーダ２００へ所定の通信信号に変換して送信する。また、送受信部１０５は、ビデオレコーダ２００から受信した録画情報応答または録画停止情報応答を所定の通信信号から記録再生装置制御部１０４で使用される信号に変換する。
【００２３】
一方、ビデオレコーダ２００は、図１に示すように送受信部２０１、複数レコーダユニット制御部２０２、複数のレコーダユニット制御部２０３（２０３ａ、２０３ｂ、…）、チューナー２０４、動画取得部２０５（２０５ｂ、…）を備えている。ここでは、レコーダユニット制御部２０３ａとチューナー２０４とが、レコーダユニット制御部２０３ｂと動画取得部２０５ｂとが、それぞれ対応しているものとする。
【００２４】
送受信部２０１は、テレビ１００から受信した録画情報または録画停止情報を所定の通信信号から複数レコーダユニット制御部２０２で使用される信号に変換する。また、送受信部２０１は、録画情報応答または録画停止情報応答を所定の通信信号に変換しテレビ１００に送信する。
【００２５】
複数レコーダユニット制御部２０２は、録画情報を元に録画を行うレコーダユニットを選択し、レコーダユニット別録画情報を作成する。また、複数レコーダユニット制御部２０２は、選択したレコーダユニットのレコーダＩＤを入力した録画情報応答を作成する。さらに、複数レコーダユニット制御部２０２は、録画停止情報を元に録画停止を行うレコーダユニットを選択しレコーダユニット別録画停止情報を作成する。また、複数レコーダユニット制御部２０２は、録画停止情報の応答として録画停止情報応答を作成する。
【００２６】
チューナー２０４は、テレビ放送波からテレビ番組の動画データを抽出する。レコーダユニット制御部２０３は、レコーダユニット別録画情報から指定された動画データの録画を行う。また、レコーダユニット制御部２０３は、レコーダユニット別録画停止情報から録画中の動画データの録画を停止する。動画取得部２０５は、例えばチューナー、ハードディスク装置、ＤＶＤ（Digital Versatile Disk）装置等であり、録画情報に基づいて動画データを取得する。
【００２７】
次に、上記のように構成された本発明の記録再生装置制御システムの動作について説明する。図４は、記録再生装置制御システムが録画を行うときの動作を示すシーケンス図である。
【００２８】
まず、図４のシーケンス図を用いて、テレビがビデオレコーダに録画情報を送信した後、ビデオレコーダからレコーダＩＤが入力された録画情報応答を受信する動作について説明する。
【００２９】
テレビ１００において操作入力部１０１から例えば８ｃｈのテレビ番組をただちに録画するよう録画操作がユーザによって入力される（Ｓ１）と、操作入力部１０１はこの録画操作を受け付けて操作情報を作成し、この録画操作を示す操作情報を記録再生装置制御部１０４に送信する。記録再生装置制御部１０４は、録画操作を示す操作情報を受信したタイミングでアドレス管理テーブル１０２に録画を行うことができる装置を問い合わせ、ビデオレコーダ２００のアドレスとテレビ１００自体のアドレスを取得する。なお、このとき、記録再生装置制御部１０４は、状態管理テーブル１０３に保持しているビデオレコーダ２００のレコーダＩＤが録画可能であることを確認してもよい。この場合、ビデオレコーダ２００は、レコーダユニットが録画状態や録画停止状態になると、そのレコーダＩＤおよびその状態を記録再生装置制御システムに接続されている他のテレビにも通知するように構成すればよい。このようにして記録再生装置制御部１０４は、録画操作とビデオレコーダ２００のアドレスとテレビ１００自体のアドレスから例えば図５（ａ）に示すような録画情報を作成する（Ｓ２）。
【００３０】
送受信部１０５は、記録再生装置制御部１０４から録画情報を受信したタイミングで、録画情報内のビデオレコーダ２００のアドレスが示すビデオレコーダ２００に録画情報を送信する（Ｓ３）。
【００３１】
ビデオレコーダ２００の送受信部２０１は、録画情報を受信し（Ｓ４）、この録画情報を複数レコーダユニット制御部２０２に送信する。複数レコーダユニット制御部２０２は、送受信部２０１から録画情報を取得したタイミングで、録画情報を解析し、内部のメモリ（図示せず）に録画情報に含まれるテレビ１００のアドレスとビデオレコーダ２００のアドレスを記録する。そして、ビデオレコーダ２００が保有するどのレコーダユニットに録画を行うかを選択し、録画情報に記載された内容通りに選択したレコーダユニットに録画するためのレコーダユニット別録画情報を作成し、選択したレコーダユニットを制御するレコーダユニット制御部２０３（例えば２０３ａ）に録画レコーダユニット別録画情報を送信する。レコーダユニット制御部２０３ａは、レコーダ別録画情報を受け取ったタイミングでレコーダユニット別録画情報を解析し、チューナー２０４から８ｃｈの動画データを取得して録画を開始する（Ｓ５）。
【００３２】
複数レコーダユニット制御部２０２は、録画を行うレコーダユニットを決定したタイミングで、メモリに保持していたテレビ１００のアドレスとビデオレコーダ２００のアドレスとレコーダユニット２００のレコーダＩＤとレコーダユニットが録画状態または録画に失敗した状態等の所定の状態であること記載した例えば図５（ｂ）に示すような録画情報応答を作成する（Ｓ６）。
【００３３】
複数レコーダユニット制御部２０２は、録画情報応答を作成したタイミングで送受信部２０１に録画情報応答を送信し、送受信部２０１は録画情報応答を受信したタイミングで録画情報応答内に含まれるテレビ１００のアドレスに録画情報応答を送信する（Ｓ７）。
【００３４】
テレビ１００の送受信部１０５は、録画情報応答を受信したタイミングで録画情報応答を記録再生装置制御部１０４に送信する（Ｓ８）。記録再生装置制御部１０４は、録画情報応答を受信したタイミングで、録画情報応答に含まれるビデオレコーダ２００のアドレスとレコーダＩＤとレコーダＩＤで特定されるレコーダユニットの録画状態を状態管理テーブルに記録する（Ｓ９）。
【００３５】
このようにして、テレビ１００は録画開始時にビデオレコーダ２００内に存在する録画を行っているレコーダユニットを示すレコーダＩＤを録画情報応答から取得することができる。
【００３６】
次に、図６のシーケンス図を用いて、テレビがビデオレコーダにレコーダＩＤを指定して録画停止情報を送信した後、ビデオレコーダから録画停止情報応答を受信する動作について説明する。図６は、記録再生装置制御システムが録画停止を行うときの動作を示すシーケンス図である。
【００３７】
テレビ１００において操作入力部１０１から現在録画中のテレビ番組をただちに録画停止するよう録画停止操作がユーザによって入力される（Ｓ１０）と、操作入力部１０１はこの録画停止操作を受け付けて操作情報を作成し、この録画停止操作を示す操作情報を記録再生装置制御部１０４に送信する。記録再生装置制御部１０４は、録画停止操作を示す操作情報を受信したタイミングでアドレス管理テーブル１０２からテレビ１００自体のアドレスを問い合わせて取得する。また、記録再生装置制御部１０４は、状態管理テーブル１０３により録画が行われているビデオレコーダのアドレスとビデオレコーダ内で録画を行っているレコーダユニットを表すレコーダＩＤを取得する。このようにして記録再生装置制御部１０４は録画停止操作とテレビ１００自体のアドレスとビデオレコーダ２００のアドレスとレコーダＩＤから例えば図７（ａ）に示すような録画停止情報を作成する（Ｓ１１）。
【００３８】
送受信部１０５は、記録再生装置制御部１０４から録画停止情報を受信したタイミングで、録画停止情報内のビデオレコーダ２００のアドレスが示すビデオレコーダ２００に録画停止情報を送信する（Ｓ１２）。
【００３９】
ビデオレコーダ２００の送受信部２０１は、録画停止情報を受信し（Ｓ１３）、この録画停止情報を複数レコーダユニット制御部２０２に送信する。複数レコーダユニット制御部２０２は、送受信部２０１から録画停止情報を取得したタイミングで、録画停止情報を解析し、内部のメモリ（図示せず）に録画停止情報に含まれるテレビ１００のアドレスとビデオレコーダ２００のアドレスを記録する。そして、レコーダＩＤからビデオレコーダ２００内のどのレコーダユニットの停止を行うか選択し、録画停止情報に記載された内容通りにレコーダユニットの録画停止を行うためのレコーダユニット別録画停止情報を作成し、レコーダユニットを制御するレコーダユニット制御部２０３ａに録画レコーダユニット別録画停止情報を送信する。レコーダユニット制御部２０３ａは、レコーダ別録画停止情報を受け取ったタイミングでレコーダユニット別録画停止情報を解析し、チューナー２０４から取得している８ｃｈの動画データの録画を停止する（Ｓ１４）。
【００４０】
複数レコーダユニット制御部２０２は、録画停止を行うレコーダユニットを決定したタイミングで、メモリに保持していたテレビ１００のアドレスとビデオレコーダ２００のアドレスとレコーダユニットが録画停止状態であること記載した例えば図７（ｂ）に示すような録画停止情報応答を作成する（Ｓ１５）。
【００４１】
複数レコーダユニット制御部２０２は、録画情報応答を作成したタイミングで送受信部２０１に録画停止情報応答を送信し、送受信部２０１は、録画停止情報応答を受信したタイミングで録画停止情報応答内に含まれるテレビ１００のアドレスに録画停止情報応答を送信する（Ｓ１６）。
【００４２】
テレビ１００の送受信部１０５は、録画停止情報応答を受信したタイミングで録画停止情報応答を記録再生装置制御部１０４に送信する（Ｓ１７）。記録再生装置制御部１０４は、録画停止情報応答を受信したタイミングで、録画停止情報応答に含まれるビデオレコーダ２００のアドレスとレコーダＩＤとレコーダＩＤで特定されるレコーダユニットの録画停止状態を状態管理テーブルに記録する（Ｓ１８）。
【００４３】
このようにして、テレビ１００は録画停止時にレコーダＩＤを含む録画停止情報を送信することでビデオレコーダ２００内に存在する録画を行っているレコーダユニットの録画を停止することができる。
【００４４】
以上のように、テレビ１００からビデオレコーダ２００に録画を行うよう録画情報を送り、ビデオレコーダ２００が録画情報を受信したタイミングで、ビデオレコーダ２００が録画を行っているレコーダユニットを特定するレコーダＩＤを録画情報に対する応答である録画情報応答に入れてテレビ１００に送信し、テレビ１００がレコーダＩＤを指定した録画停止情報をビデオレコーダ２００に送信することで、テレビ１００からレコーダＩＤを持つレコーダユニットへ録画停止制御を行うことができる。
【００４５】
（実施の形態２）
実施の形態１では、ビデオレコーダ２００はあらかじめ設定されているレコーダＩＤを装置内ＩＤとして用いて録画情報応答を作成しているが、本実施の形態では、通信セッション毎のＩＤ（以下、セッションＩＤという）を生成し、生成したセッションＩＤを装置内ＩＤとして用いて録画情報応答を作成する場合について説明する。
【００４６】
図８は、本発明の実施の形態２に係る記録再生装置制御システムの構成を示すブロック図である。なお、実施の形態１と同様の構成については同一の符号を付し、説明を省略する。
【００４７】
実施の形態２に係る記録再生装置制御システムのビデオレコーダ４００は、図６のブロック図の構成に示すように実施の形態１の記録再生装置制御システムのビデオレコーダ２００の構成に加えて、装置内ＩＤ生成部４０２および装置内ＩＤ管理テーブル４０３を備えている。
【００４８】
装置内ＩＤ生成部４０２は、乱数を発生させ、発生させた乱数に基づいて装置内ＩＤとしてセッションＩＤを生成する。装置内ＩＤ管理テーブル４０３は、例えば図９に示すようにセッションＩＤと録画を行うよう選択されたレコーダユニットとを対応付けて保持している。
【００４９】
上記のように構成された実施の形態２の記録再生装置制御システムの動作について説明する。なお、実施の形態１のステップＳ６とステップＳ１４とステップＳ１５に追加する動作を図４と図５を用いて説明する。
【００５０】
ステップＳ６では、複数レコーダユニット制御部４０１は、録画情報応答の作成時に録画を行うレコーダユニットのレコーダＩＤを装置内ＩＤとしてそのまま入力した録画情報応答を作成するのではなく、まず、装置内ＩＤ生成部４０２にセッションＩＤの作成を指示する。装置内ＩＤ生成部４０２は、乱数を発生させ、発生させた乱数に基づいてセッションＩＤを生成する。そして、複数レコーダユニット制御部４０１は、セッションＩＤを装置内ＩＤ値として入力した録画情報応答を作成する。また、録画情報応答を作成するタイミングでセッションＩＤと録画を行うよう選択されたレコーダユニットとの対応関係を装置内ＩＤ管理テーブル４０３に記録する、という動作をステップＳ６に追加して行う。
【００５１】
以上のようにして、ステップＳ６の録画情報応答を作成する際には装置内ＩＤとしてセッションＩＤを入力する。
【００５２】
ステップＳ１４では、複数レコーダユニット制御部４０１は、録画停止情報を受信した際、録画停止情報に含まれる装置内ＩＤをレコーダＩＤとして対応するレコーダユニットを録画停止する対象として選択するのではなく、装置内ＩＤとしてセッションＩＤを取得したタイミングで、装置内ＩＤ管理テーブルを参照し、取得したセッションＩＤがどのレコーダユニットに対応しているかの情報を取得して、直接レコーダＩＤを参照する代わりにセッションＩＤを用いて録画停止を行うレコーダユニットを選択する、という動作を追加して行う。
【００５３】
以上のようにして、ステップＳ１４の録画停止を行うレコーダユニットを選択する際には装置内ＩＤとしてセッションＩＤを使用する。
【００５４】
ステップＳ１５では、複数レコーダユニット制御部４０１は、録画停止情報応答を作成する際、レコーダユニットに対して録画停止を行ったために必要なくなった装置内ＩＤ管理テーブルに含まれるレコーダユニットを示すセッションＩＤを削除する、という動作を追加して行う。
【００５５】
上記のように、実施の形態１の記録再生装置制御システムにおけるステップＳ６とステップＳ１４とステップＳ１５とに新たな動作を追加することで、録画情報が送られる度にビデオレコーダ４００においてセッションＩＤを生成して、このセッションＩＤを装置内ＩＤとして用いる。よって、例えば録画を実行させていたビデオレコーダ４００内のレコーダユニットの録画が終了し、別のテレビからの録画操作により同じレコーダユニットが録画中になった後、テレビ１００がそのレコーダユニットに誤って録画停止情報を送信しても、録画停止情報に含まれるセッションＩＤが異なるので、ビデオレコーダ４００は実行している録画を停止するべきではないと判断を行うことができ、テレビ１００からの誤操作を防ぐことができる。
【００５６】
なお、実施の形態１と実施の形態２において、図１と図８に記載されるチューナー２０４は動画取得部であれば、例えばハードディスク装置、ＳＤ、ＣＤ、ＤＶＤなどどのようなドライブでも本発明を実現することができる。
【００５７】
また、実施の形態１と実施の形態２において、図１と図８に記載される操作入力部１０１からユーザが録画操作および録画停止操作を行うと説明したが、必ずしもユーザが録画操作および録画停止操作を行う必要がなく、例えばテレビに既に録画や録画停止を行うように予約を行っていてテレビ自体がユーザの代わりに録画操作を行う場合でも本発明を実現することができる。
【００５８】
また、実施の形態１と実施の形態２において、図２に記載されているアドレス管理テーブル１０２を用いてテレビとビデオレコーダのアドレスを取得したが、テレビとビデオレコーダが直接接続されている場合はアドレスを参照する必要がないため、アドレス管理テーブルを使用せずに本発明を実現することができる。また、アドレス管理テーブル１０２は、図３においては３台の装置しか記載されていないが、本発明を実現するためにはテレビ自体を含めた２つ以上の装置とアドレスの組があればよい。
【００５９】
また、実施の形態１と実施の形態２において、図３に状態管理テーブル１０３を３つのアドレスと装置内ＩＤと録画状態との組を持つテーブルとしているが、１つ以上のアドレスと装置内ＩＤと録画状態の組を持つテーブルであってもよい。また、アドレスと装置内ＩＤの組だけを持つテーブルであっても本発明を実現することができる。この場合、記録再生装置制御部１０４は、録画情報応答を受信したタイミングで、録画情報応答に含まれるビデオレコーダ２００のアドレスと装置内ＩＤの組を状態管理テーブルに記録し、録画停止情報応答を受信したタイミングで、録画停止情報応答に含まれるビデオレコーダ２００のアドレスと装置内ＩＤの組を状態管理テーブル１０３から削除すればよい。これにより、状態管理テーブル１０３には録画中であるビデオレコーダ２００のアドレスと装置内ＩＤの組が記録されていることになる。
【００６０】
また、実施の形態１と実施の形態２において、図５および図７に録画情報、録画情報応答、録画停止情報、および録画停止情報応答の一例を示しているが、例えばテレビとビデオレコーダのみが直接接続されていればテレビとビデオレコーダを区別する必要がないので、録画情報、録画情報応答、録画停止情報、および録画停止情報応答においてアドレスが無くとも本発明を実現することができる。
【００６１】
また、実施の形態１と実施の形態２において、図５に録画情報の一例を示しているが、ビデオレコーダが所定のチャンネル番号を録画すると決まっていれば、録画情報内にチャンネル番号は必要がないので録画情報においてチャンネル番号の記載が無くとも本発明を実現することができる。
【００６２】
また、実施の形態１と実施の形態２において、図５に録画情報応答の一例を示しているが、テレビが録画状態を記録していなければ録画状態は必要がないので録画情報応答において録画状態の記載が無くとも本発明を実現することができる。
【００６３】
また、実施の形態１と実施の形態２において、図７に録画停止情報応答の一例を示しているが、録画停止情報に対する応答は必ずしも出す必要はないので録画停止情報応答が無くとも本発明を実現することができる。
【００６４】
また、実施の形態１と実施の形態２において、図９に装置内ＩＤ管理テーブル図を３つのレコーダユニットとセッションＩＤの組を持つテーブルとしているが、１つ以上のレコーダユニットとセッションＩＤの組を持つテーブルであれば本発明を実現することができる。
【００６５】
また、実施の形態１と実施の形態２において、記録再生装置制御システムは、制御装置であるテレビ１００を１つ備えているが、これに限られるものではなく、２つ以上の制御装置を備えていても、本発明を実現することができる。
【００６６】
また、図１および図８に示したブロック図の各機能ブロックは典型的には集積回路であるＬＳＩとして実現される。このＬＳＩは１チップ化されても良いし、複数チップ化されても良い。（例えばメモリ以外の機能ブロックが１チップ化されていても良い。）ここでは、ＬＳＩとしたが、集積度の違いにより、ＩＣ、システムＬＳＩ、スーパーＬＳＩ、ウルトラＬＳＩと呼称されることもある。
【００６７】
また、集積回路化の手法はＬＳＩに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【００６８】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００６９】
また、各機能ブロックのうち、データを格納するユニット、チューナー２０４、および動画取得部２０５については１チップ化せずに、別構成としても良い。
【産業上の利用可能性】
【００７０】
本発明に係る記録再生装置制御システムによれば、制御装置が記録再生装置内のレコーダユニットを特定し、レコーダユニット毎に録画操作を行うことが可能となるので、例えばテレビ等の制御装置と複数録画が可能な例えばビデオレコーダ等の記録再生装置を接続させた録画制御システム等において有用である。
【図面の簡単な説明】
【００７１】
【図１】本発明の実施の形態１における記録再生装置制御システムの構成を示すブロック図である。
【図２】アドレス管理テーブルの一例を示す図である。
【図３】状態管理テーブルの一例を示す図である。
【図４】本発明の記録再生装置制御システムが録画を行うときの動作を示すシーケンス図である。
【図５】（ａ）録画情報の一例を示す図、（ｂ）録画情報応答の一例を示す図である。
【図６】本発明の記録再生装置制御システムが録画停止を行うときの動作を示すシーケンス図である。
【図７】（ａ）録画停止情報の一例を示す図、（ｂ）録画停止情報応答の一例を示す図である。
【図８】本発明の実施の形態２における記録再生装置制御システムの構成を示すブロック図である。
【図９】本発明の実施の形態２における装置内ＩＤ管理テーブルの一例を示す図である。
【符号の説明】
【００７２】
１００  テレビ
２００、４００  ビデオレコーダ
３００  記録再生装置
１０１  操作入力部
１０２  アドレス管理テーブル
１０３  状態管理テーブル
１０４  記録再生装置制御部
１０５  送受信部
２０１  送受信部
２０２、４０１  複数レコーダユニット制御部
２０３  レコーダユニット制御部
２０４  チューナー
２０５  動画取得部
４０２  装置内ＩＤ生成部
４０３  装置内ＩＤ管理テーブル
Ａ  録画操作、録画停止操作
Ｂ  アドレス問い合わせ
Ｃ  アドレス
Ｄ  アドレス、装置内ＩＤ、録画状態情報
Ｅ  録画情報、録画停止情報
Ｆ  録画情報、録画停止情報
Ｇ  録画情報、録画停止情報
Ｈ  レコーダユニット別録画情報、レコーダユニット別録画停止情報
Ｉ  番組データ
Ｊ  録画情報応答、録画停止情報応答
Ｋ  録画情報応答、録画停止情報応答
Ｌ  録画情報応答、録画停止情報応答
Ｍ  装置内ＩＤ
Ｎ  装置内ＩＤ、レコーダＩＤ
【図１】
2007181047.tif 000003
【図２】
2007181047.tif 000004
【図３】
2007181047.tif 000005
【図４】
2007181047.tif 000006
【図５】
2007181047.tif 000007
【図６】
2007181047.tif 000008
【図７】
2007181047.tif 000009
【図８】
2007181047.tif 000010
【図９】
2007181047.tif 000011